(57)【要約】  本発明は、支持面と該支持面から離間した第１のシール面とを有するベースを備えた滅菌ラップシステムを含み、該支持面は、滅菌を必要とする少なくとも１つの物体を支持する。ラップは、ベースの第１のシール面と係合して、ベースの支持面と離間した第１のシール面とを取り囲む容積を画成するようにサイズ決めされる。第１のシールは、ラップと第１のシール面との間にシール界面を維持する。
2020528309.tif 000002
【特許請求の範囲】
【請求項１】
滅菌ラップシステムであって、
滅菌を必要とする少なくとも１つの物体を支持するための支持面と、該支持面から離間した第１のシール面とを有するベース；
前記ベースの前記第１のシール面と係合して、前記ベースの前記支持面と前記離間した第１のシール面とを取り囲む容積を画成するように寸法決めされたラップ；及び
前記ラップと前記第１のシール面との間にシール界面を維持するための第１のシール
を含む、滅菌ラップシステム。
【請求項２】
前記第１のシールがクランプであり、前記ベースの前記第１のシール面が、前記ベースの周りに少なくとも部分的に円周方向に延びるチャネルであり、前記チャネルが、前記クランプを受け入れるように寸法決めされている、請求項１に記載の滅菌ラップシステム。
【請求項３】
前記ベースが、前記第１のシール面から離間された第２のシール面をさらに含み、前記ラップが、該ラップと前記第２のシール面との間にシール界面を形成するための第２のシールを含む、請求項１に記載の滅菌ラップシステム。
【請求項４】
前記ラップが滅菌器と適合性の第１の材料で形成されたバッグであり、該バッグが、前記設置位置で前記ベースの前記第１のシール面の上に前記ラップを配置するように拡張するため及び前記配備位置で前記ベースの前記第１のシール面に張力を適用するための可撓性カラーを有する、請求項１に記載の滅菌ラップシステム。
【請求項５】
前記ラップが、少なくとも前記支持面を取り囲む領域を有する第１の材料の第１の部分と、少なくとも前記ベースの前記第１のシール面を取り囲む領域を有する第２の材料の第２の部分とを含み、前記第１の材料がフィルタ材料であり、前記第２の材が可撓性材料である、請求項１に記載の滅菌ラップシステム。
【請求項６】
前記第２の材料が前記第１のシールを形成し、前記第１のシールが前記ラップと前記第１のシール面との間の前記シール界面を維持するためのクランプである、請求項５に記載の滅菌ラップシステム。
【請求項７】
前記ベースが手術室のバックテーブルであり、前記ベースがスカートを含み、該スカートが前記クランプを受け入れるためのチャネルを有している、請求項２に記載の滅菌ラップシステム。
【請求項８】
前記支持面が前記ベースの第１の部分である、請求項１に記載の滅菌ラップシステム。
【請求項９】
前記ベースが該ベースから延びるラップ支持体をさらに備え、該ラップ支持体が、折り畳み可能及び取り外し可能の少なくとも一方である、請求項１に記載の滅菌ラップシステム。
【請求項１０】
前記ベースの前記第１の部分が、外科用器具の少なくとも１つを保持するトレイ、若しくは、器具を保持するように配置されたトレイ、ラック、フレーム、又は棚である、請求項８に記載の滅菌ラップシステム。
【請求項１１】
前記ラップ支持体が、側壁と、前記ベースの前記支持面から離間された上部棚とを含む、請求項９に記載の滅菌ラップシステム。
【請求項１２】
前記ベースに動作可能に接続されたフレームをさらに含み、該フレームが前部、後部、上部、及び側部を形成する複数のストラットを有しており、各部分が中空の中央部分を画成する、請求項８に記載の滅菌ラップシステム。
【請求項１３】
前記フレームが前記トレイから取り外し可能である、請求項１２に記載の滅菌ラップシステム。
【請求項１４】
前記ベースの前記支持面が傾斜している、請求項１に記載の滅菌ラップシステム。
【請求項１５】
前記支持面、若しくは前記ベースの前記第１のシール面及び第２のシール面のうちの少なくとも一方が、ドレインを含む、請求項１に記載の滅菌ラップシステム。
【請求項１６】
滅菌のために物体を包装する方法において、
（ａ）ベースの支持面上に、滅菌される少なくとも１つの物体を配置するステップであって、前記ベースが第１のシール面を有している、ステップ；
（ｂ）前記ベースの前記支持面を取り囲む第１の部分と前記ベースの前記第１のシール面に面する第２の部分とを有するラップを配備するステップ；及び
（ｃ）前記ラップの前記第２の部分を前記ベースの前記第１のシール面にクランプして、配備位置で前記ラップと前記第１のシール面との間にシール界面を形成するステップ
を含む、方法。
【請求項１７】
（ａ）前記配備されたラップを有する前記ベースを滅菌器に輸送するステップ；
（ｂ）前記配備されたラップを有する前記ベースを前記滅菌器内に移送するステップ；
（ｃ）前記滅菌器内で滅菌サイクルを実施するステップ；
（ｄ）前記滅菌器から前記配備されたラップを有する前記ベースを取り出すステップ；
（ｅ）前記配備されたラップを有する前記ベースを使用エリアに輸送するステップ；及び
（ｆ）前記配備されたラップを開いて、前記滅菌器で滅菌された前記少なくとも１つの物体を露出させるステップ
をさらに含む、請求項１６に記載の方法。
【請求項１８】
前記ラップを開くステップが、
（ａ）所定のガイドラインのセットに沿って前記配備されたラップの前記第１の部分を開き、外面と滅菌された内面とを有するラップセグメントを形成するステップ；
（ｂ）前記第１のシール面の上に前記ラップセグメントを折り畳み、前記滅菌された内面を露出するステップ
をさらに含む、請求項１７に記載の方法。
【請求項１９】
前記配備されたラップを有する前記ベースを前記滅菌器に輸送するステップが、
（ａ）前記配備されたラップを有する前記ベースを移送カートに載荷するステップであって、前記移送カートがロック機構を含む第１の端部と第２の端部とを有する、ステップ；
（ｂ）前記配備されたラップを有する前記ベースを前記移送カートに解除可能にロックするステップ；
（Ｃ）前記移送カートの第１の端部を前記滅菌器に隣接して位置づけるステップ；
（Ｄ）前記ロック機構を用いて前記移送カートの第１の端部を前記滅菌器にロックし、前記配備されたラップを有する前記ベースと前記移送カートとの間の前記ロックを解除して、前記配備されたラップを有する前記ベースを前記滅菌器に移送可能にするステップ
をさらに含む、請求項１７に記載の方法。
【請求項２０】
滅菌を必要とする物体の滅菌に使用する使い捨てラップシステムにおいて、
（ａ）分解することなく滅菌剤への曝露に耐えるように適合された材料で形成された剛性ベースであって、物体を保持するための部分と周縁部とを有する支持面を有する、ベース；
（ｂ）前記支持面と重なるように寸法決めされ、かつ、前記ベースの前記支持面の周縁部に対応する周縁部を有する、ラップ；及び
（ｃ）前記ラップ及び／又は前記ベースの前記周縁部に沿って配置されたシールであって、前記ラップと前記ベースとの間にシール界面を形成する、シール
を含む、システム。
【請求項２１】
前記支持面が前記ベースから取り外し可能である、請求項２０に記載の使い捨てラップシステム。
【発明の詳細な説明】
【技術分野】
【０００１】
本発明は、外科用器具などを滅菌する方法及び装置に関し、より詳細には、ベースとラップとを含む滅菌用ラップシステムに関する。
【背景技術】
【０００２】
外科用器具、研究室で使用する物品、及び医療機器の洗浄及び滅菌は、科学的研究、獣医学、及び人間医学を含むがこれらに限定されない、多くの分野において重要である。例えば、外科用器具を手術で使用できるようにするには、滅菌状態で提供する必要がある。有害な微生物を患者に取り込むリスク又は科学的研究のリスクを減らすために、通常、幾つかのステップが行われる。最初に、物体は除染され、事前洗浄されうる。次に、物体は洗浄され、すすがれ、乾燥される。徹底的に洗浄した後、物体は滅菌される。滅菌とは、表面に存在する、あるいは流体、又は薬剤、若しくは生物培養培地などの化合物中に含まれる、伝染性物質（真菌、細菌、ウイルス、又は胞子の形態など）を含む、細菌又は他の種類の生きている微生物を排除、除去、非活性化、又は死滅させるいずれかのプロセスを指す用語である。滅菌は、熱、蒸気、エチレンオキシド（ＥＯ）の使用などの化学薬品、照射、高圧、及びろ過、又はそれらの組合せを適用することによって達成することができる。概して、外科用器具、研究室で使用する物品、及び医療機器は、身体に使用する前に、高い無菌性保証レベルまで滅菌する必要がある。このような器具の例には、メス、皮下注射針、内視鏡、及び人工ペースメーカーなどの埋込型医療器具（ＩＭＤ）が含まれる。
【０００３】
加熱滅菌に広く使用されている方法はオートクレーブであり、これはコンバータと呼ばれることもある。オートクレーブは通常、１２１〜１３４℃に加熱された蒸気を使用する。ある程度の無菌性を実現するには、１００ｋＰａ、１２１℃で少なくとも１５分間、又は１００ｋＰａ、１３４℃で３分間の保持時間が必要である。布の層に詰められた液体及び器具は、必要な温度に達するまでに時間がかかることがあるため、通常は追加の滅菌時間が必要である。
【０００４】
滅菌方法の１つは、例えばキャビネットなどの剛性の容器システムに蒸気を通すことである。効果的な滅菌のためには、蒸気はキャビネットの載荷物に均一に浸透する必要がある。したがって、キャビネットを過密状態にしてはならず、ボトル及び容器の蓋を半開きにしておく必要がある。チャンバの初期加熱中に、残留空気を除去する必要がある。蒸気が実際にそこに浸透することを確実にするために、蒸気が届くのに最も困難な場所にインジケータを配置すべきである。
【０００５】
フィルタは、通常、通気孔の上に配置され、滅菌プロセスの前、最中、又は後に、粒子又は異物がキャビネットに入らないようにする。滅菌プロセスが完了したら、医療専門家がフィルタを取り外して検査し、滅菌プロセスの完全性が維持されていたことを検証する必要がある。検査中にフィルタが無傷のままではなかったことが判明した場合は、新しいフィルタで滅菌プロセスを繰り返す必要がある。
【０００６】
別の滅菌方法は、トレイの内容物の滅菌を可能にし、ラップが開くまでトレイの内容物の無菌状態を維持するための包装材料で、器具、消耗品、医療機器、又はこのような物体を含むトレイを包装することを含む。従来、再処理が必要な器具は通気孔のあるトレイに準備されて、滅菌剤がトレイを通流できるようにし、すべての表面を滅菌する。滅菌器から取り出した後に無菌状態を維持するために、トレイは、滅菌剤は通過できるが、使用するまで微生物から内部トレイを保護する材料で包まれる。綿、綿−ポリエステル混紡、又は合成混紡、若しくは、プラスチックポリマー、セルロース繊維、又は圧力下でシートに接着した洗浄済み紙パルプ（washed paper pulp）でできていてよい不織材料で作られうる織物を含めた多くの包装材料を滅菌に使用することができる。ラップを含むがこれに限定されない包装材料で、器具、消耗品、医療機器、又はこのような物体を含むトレイを包むと、包装材料が裂けたり穴が開いたりすることがあり、その場合、新しい包装材料で滅菌プロセスを繰り返す必要がある。単一の器具は、ピールパウチで個別に滅菌することができる。パウチは、環境内の汚染物質から器具を保護することにより、滅菌プロセスが完了した後の器具の無菌状態を維持する。しかしながら、複数のツールを同じピールパウチ内で滅菌することはできないため、ピールパウチは効率的ではない。さらには、空気の除去及び滅菌剤の浸透を促進し、水分保持を妨げるために、ピールパウチはそのサイズで滅菌器内に載荷される。ピールパウチには、幾つかの構成部品を有するインプラントを含めることはできない。これらの構成部品は、通常、ガンマ線照射処理によって滅菌する前に、別々のピールパウチに包装する必要があろう。
【０００７】
あるいは、ラップが滅菌剤を入れることができるが、その後に微生物をブロックするように機能するフィルタを利用して、剛性の容器にトレイを置くことができる。フィルタはまた、滅菌剤又はその副生成物を逃がすことも可能にする。滅菌プロセスが完了したら、医療専門家がフィルタを取り外して検査し、滅菌プロセスの完全性が維持されていたことを検証する必要がある。検査中にフィルタが無傷のままではなかったことが判明した場合は、新しいフィルタで滅菌プロセスを繰り返す必要がある。複数のトレイを取り扱うために大きい容器が製造されており、ステップの統合を可能にし、プロセスを簡素化している。これらの大きい容器は製造に費用がかかり、保管するのにかさばる。さらには、大きい容器は幾つかの器具を保持しており、これらは集合的にかなりの重量負荷があり、容器を滅菌器に載荷及び除荷し、容器を保管するために、特定のリフト装置を必要とする。
【発明の概要】
【０００８】
本発明は、滅菌を必要とする少なくとも１つの物体を支持するための支持面と該支持面から離間した第１のシール面とを有するベースを含む滅菌のための滅菌ラップシステム、、ベースの第１のシール面と係合して、ベースの支持面と離間した第１のシール面とを取り囲む容積を画成するように寸法決めされたラップ、及びラップと第１のシール面との間にシール界面を維持するための第１のシールを含む。
【０００９】
本発明は、滅菌のための滅菌ラップシステムをさらに含む。滅菌ラップシステムは、滅菌を必要とする少なくとも１つの物体を支持する支持面と第１のシール面とを有するベース、及びベースを少なくとも部分的に取り囲むように寸法決めされたラップであって、ベースの支持面を取り囲む第１の部分とベースの第１のシール面に面する第２の部分とを有するラップを含み、ここで、第２の部分は、設置位置でベースの支持面の上にラップを配置するように拡張するため及び配備位置でベースの第１のシール面に張力を適用するための可撓性カラーである。
【００１０】
本発明の別の構成は、滅菌のために物体を包装する方法を提供する。本方法は、ベースの支持面上に、滅菌される少なくとも１つの物体を配置するステップであって、ベースが第１のシール面を有するステップ；ベースの支持面を取り囲む第１の部分とベースの第１のシール面に面する第２の部分とを有するラップを配備するステップ；及び、ラップの第２の部分をベースの第１のシール面にクランプして、配備位置でラップと第１のシール面との間にシール界面を形成するステップを含む。本方法は、ラップを配備するステップの前に通気領域を有するフレームを適用するステップをさらに含みうる。
【００１１】
ある構成では、本方法は、ラップが配備されたベースを滅菌器に輸送するステップ；ラップが配備されたベースを滅菌器内に移送するステップ；滅菌器内で滅菌サイクルを実行するステップ；ラップが配備されたベースを滅菌器から取り出すステップ；ラップが配備されたベースを使用エリアに輸送するステップ；及び、配備されたラップを開いて、滅菌器で滅菌された少なくとも１つの物体を露出させるステップをさらに含む。さらには、ラップが配備されたベースを滅菌器に輸送するステップは、ラップが配備されたベースを移送カートに載荷するステップであって、移送カートがロック機構を含む第１の端部と第２の端部とを有する、ステップ；ラップが配備されたベースを移送カートに解除可能にロックするステップ；移送カートの第１の端部を滅菌器に隣接して位置づけるステップ；及び、ロック機構によって移送カートの第１の端部を滅菌器にロックし、ラップが配備されたベースと移送カートとの間のロックを解除して、ラップが配備されたベースを滅菌器内に移送可能にするステップをさらに含みうる。
【００１２】
さらに別の構成では、滅菌を必要とする物体の滅菌に使用するための使い捨てラップシステムは、分解することなく滅菌剤への曝露に耐えるように適合された材料で形成された剛性ベースであって、物体を保持するための部分と周縁部とを有する支持面を有する、ベース；支持面と重なるように寸法決めされ、かつ、ベースの支持面の周縁部に対応する周縁部を有する、ラップ；及び、ラップ及び／又はベースの周縁部に沿って配置されたシールであって、ラップとベースとの間にシール界面を形成する、シールを含む。支持面は、ベースから取り外し可能でありうる。
【図面の簡単な説明】
【００１３】
【図１】手術室バックテーブルの斜視図
【図２】手術室バックテーブルを取り囲むように構成された滅菌ラップの斜視図
【図３】手術室バックテーブル上に配置され、第１の材料及び第２の材料で構成された滅菌ラップを示す、線３−３に沿った断面図
【図４】手術室バックテーブル上に配置され、単一の材料で構成された滅菌ラップを示す断面図
【図５】連続した滅菌ラップの例示的な実施形態の斜視図
【図６】セグメント化された滅菌ラップの別の例示的な実施形態の斜視図
【図７】延長側部を有する手術室バックテーブルの例示的な実施形態の斜視図
【図８】滅菌ラップ支持体の例示的な実施形態の斜視図
【図９】支持側部及び上部棚を有する手術室バックテーブルの例示的な実施形態の斜視図
【図１０】物体を滅菌する滅菌ラップシステムであって、ベースとフレームとを有する滅菌ラップシステムの別の例示的な実施形態の斜視図
【図１１】物体を滅菌する滅菌ラップシステムであって、ベースとフレームとを有する滅菌ラップシステムの別の例示的な実施形態の斜視図
【図１２】図１１に示されるフレームとベースとを封入するように構成された滅菌ラップの斜視図
【図１３】滅菌ラップの別の例示的な実施形態の斜視図
【図１４】ベースの例示的な実施形態にシールされた滅菌ラップの斜視図
【図１５】図１８に示されるテーブルを封入するように構成された滅菌ラップの斜視図
【図１６】ペデスタルを有するテーブルを封入するように構成された滅菌ラップの斜視図
【図１７】本発明の別の滅菌ラップの斜視図
【図１８】取り外し可能な脚を有するテーブルの側面図
【図１９】滅菌を必要とする物体を受けるための支持面と、該支持面の周縁部にシールされたラップとを有するベースの上面図
【図２０】滅菌を必要とする物体を受けるための取り外し可能な支持面と、該支持面の周縁部にシールされたラップとを有するベースの斜視図
【図２１】支持面にシールされたラップを有するベースの断面図
【図２２】滅菌用に物体を包装する方法のステップを開示するフローチャート
【発明を実施するための形態】
【００１４】
異なる図に現れる同じ参照番号は、本発明の同じ構造要素を特定することが認識されるべきである。本発明の説明は、現在好ましい構成と考えられているものを含むが、本発明はそのような構成に限定されないことが認識されるべきである。さらには、本発明は、本明細書に記載された特定の方法論、材料、及び修正に限定されず、本明細書で使用される用語は、本発明の範囲を限定することは意図されていないことが認識されるべきである。したがって、本発明の範囲は、添付の特許請求の範囲によってのみ、判断される。
【００１５】
本発明は、滅菌器での滅菌中に器具、医療機器などを滅菌する目的で、有意な通気対体積比を提供する滅菌ラップシステムに関する。滅菌器という用語は、滅菌システムを保持する内部を画成し、所望の滅菌を与えるために制御された環境が生み出される筐体又はデバイスを含むが、これらに限定されない。滅菌器には、オートクレーブ；熱風オーブン；エチレンオキシド；低温蒸気及びホルムアルデヒド；殺胞子化学物質；照射；二酸化塩素（ＣＤ）ガス滅菌；過酸化水素；蒸気化過酸化水素；過酸化水素プラズマ；電子ビーム及びガスプラズマ装置が含まれる。
【００１６】
本システムは、包装技術と剛性の容器システムの両方の利点を提供する。ベースをドアのない剛性の構成要素として利用することにより、１つ以上の器具及び／又はトレイをその上に配置することができる。ラップを保護カバーとして利用することにより、体積効果への顕著な通気を実現することができる。その結果、滅菌剤またはその副生成物が通気されるまでに必要な時間が短縮される。さらには、手術室のバックテーブルなどのベースを使用する場合には、バックテーブルは滅菌ラップシステムに不可欠であり、したがって器具はすでにテーブル上に整理されており、滅菌後に体裁が整っているため、手術室で使用するために器具を剛性の容器又はトレイからバックテーブルに移す必要はない。「手術室のバックテーブル」又は「バックテーブル」とは、概して、外科用器具を保持するために手術室で用いられるテーブルを指すことを意味する。手術室のバックテーブルは、器械台又は作業台と呼ばれることもある。バックテーブルは、ステンレス鋼、プラスチック、又は他の剛性材料で作ることができ、任意の形状又はサイズとすることができる。典型的には、バックテーブルは、調節可能及び／又は取り外し可能であってもなくてもよい脚部及び／又はペデスタルを有する、長方形の形状をしたテーブルである。
【００１７】
概して、滅菌ラップシステム１００は、支持面を提供するベース１０と保護カバーを提供するラップ２０とを含む。ベース１０は、支持面を提供するための任意の形状及びサイズでありうる。例えば、ベース１０は長方形の構成で示されているが、ベース１０は、円形、楕円形、正方形、及び楕円形を含むがこれらに限定されない任意の形状でありうる。この構成のベース１０は剛性であり、トレイ、テーブル、シート、プレート、又は他のタイプの剛性の支持ベースであってもよい。滅菌ラップ２０は、シート、バッグ、パウチ、及び部分的に形成されたバッグを含むがこれらに限定されない多くの異なる形状及び形態を取りうることが認識されるべきである。これより図面を参照すると、図１はベース１０の一構成の斜視図であり、図２はラップ２０の一構成の斜視図である。図１に示されるように、滅菌ラップシステム１００はベース１０を含み、一構成では、滅菌器による滅菌を必要とする少なくとも１つの物体４４を支持する支持面４２を有する手術室バックテーブル４０でありうる。滅菌を必要とする物体４４には、外科用器具及び機器、インプラント、研究室で使用する物品、及び医療機器が含まれうるが、これらに限定されない。一構成では、ベース１０は従属スカート４６を含み、脚部４８又はペデスタル（図示せず）から取り外し可能でありうる。ベース１０は、とりわけ物体がそうでなければシフトする可能性のある輸送中に物体４４を支持面４２に保持するために、支持面４２の周縁部に沿ってフランジ又は側壁（図示せず）を含むこともできる。代替的に又は追加的に、ベース１０は、該ベース１０の特定のセクション上に、外科用器具及び／又はトレイを含むがこれらに限定されない、物体４４を維持するための仕切り、棚、又はセクション化された部分を含みうる。ベース１０はさらに、物体４４を適所に解除可能に保持するために、ベルクロ（登録商標）、磁石などを含むがこれらに限定されない、さらなる留め具を含むことができる。ベース１０は、特定の物体の好ましい位置を特定する少なくとも幾つかの物体４４のレーザ輪郭を含みうる。ベース１０上に物体４４を整理及び維持するための他の特徴は、特許請求される本発明の範囲内に含まれることが意図されている。
【００１８】
幾つかの構成では、ベース１０は、滅菌プロセス中に形成された滅菌剤及び／又は凝縮液を排出するためのドレインシステム５０を含みうる。ベース１０は、例えば、図１及び図１１に示されるように、排水を所定の領域に向けるために傾斜面５２を含みうる。傾斜面５２はいかなる傾斜であってもよく、直線（角度のある）又は曲線でありうる。一構成では、ベース１０は、凝縮物をドレイン開口５４に導くように配置された下向きの傾斜する面５２を有する少なくとも１つの排水ウェルを含む。一構成では、ドレイン開口５４は、直径が約０．５から５インチ（約１．２７ｃｍから１２．７ｃｍ）である。別の構成では、ドレイン開口５４は、直径約２〜３インチ（約５．０８ｃｍから７．６２ｃｍ）である。ドレイン開口５４は、凝縮液又は液体滅菌剤をベース１０の表面から排出可能にする任意の形状及びサイズでありうる。表面５２は、滅菌剤及び凝縮物をドレイン開口５４へとさらに導くように円錐台形状であってもよい。あるいは、ドレインシステム５０は、滅菌剤及び／又は凝縮液をベース１０の片側に近接して位置するドレインウェル又は開口５２に導く、連続的な下降を含みうる。単一のドレインウェル又は開口５４若しくは複数のドレインウェル及び／又は開口５４は、ベースの床上のあらゆる場所に配置することができ、床はそこに排液できるように構成されることが認識されるべきである。さらに別の構成では、ドレインシステム５０は、滅菌剤及び／又は凝縮液をベース１０の床の端部に導く、ドレインウェル又は開口５４を有しない傾斜面又は下り勾配を含みうる。ドレインシステム５０は、開口を備えた一又は複数のフィルタを含みうる。滅菌剤及び／又は凝縮液をベース１０の床から排出可能にする他の排水システムが可能であり、これらの変更が特許請求の範囲内に含まれることが意図されていることを当業者は認識すべきである。ベース１０は、ドレインシステム５０の上に物体４４を維持するためのホルダをさらに含みうる。ホルダは、例えば、とりわけ、穿孔、開口、又はウェルを有するプレート、若しくはベース１０の上方に懸架されるように構成されたトレイでありうる。ホルダは、ベース１０と一体化させることができ、あるいはベース１０から取り外し可能でありうる。ドレインシステムの上に器具を保持するための当技術分野で知られている多くの構成が存在し、これらの構成は特許請求の範囲の趣旨及び範囲内に含まれることが意図されていることを理解されたい。
【００１９】
図３及び図４に示されるように、ベース１０は、ラップ２０がシールするためのシール面６０をさらに含む。一構成では、シール面６０は、支持面４２の周縁部から延びる下部外壁６２である。別の構成では、シール面６０は、支持面４２の周縁部の上方に延びる上部外壁である。通常、ベース１０はステンレス鋼で構成され、したがって、シール面６０は通常、ステンレス鋼である。しかしながら、ベース１０は、分解することなく滅菌剤への曝露に耐えることができる他の種類の材料から構成されてもよく、したがって、シール面６０はそのような材料に限定されないことが認識されるべきである。ベース１０は、例えばシール面７０などの追加のシール面をさらに含むか、又は代替的に含むことができる。一構成では、シール面７０は、図１０及び図１１に示されるように、チャネル７６を含むことができ、このチャネル７６は、以下で説明するようにシール面７０を少なくとも部分的に取り囲む。一構成では、チャネル７６は、ベース１０の外周全体を取り囲んでいる。滅菌ラップ２０とのシール界面を形成するための追加の又は代替のシール面を有しうることが認識されるべきである。
【００２０】
滅菌ラップ２０は、多くのさまざまな形状及びスタイルを備えることができ、ベース１０の支持面４２の上に、又はベース１０の支持面４２の下から適用することができる。図２に示されるように、滅菌ラップ２０は、少なくとも支持面４２を囲むための部分８０と、ベース１０の少なくともシール面６０及び／又は４６を取り囲む領域を有する部分８２とを含みうる。一構成では、ラップ２０は、引き裂きに耐える材料で構成される。滅菌ラップ２０は、単層又は多層の材料でありうる。この材料は、スパンボンド・メルトブロー・スパンボンド積層（ＳＭＳ）ファブリック、ポリプロピレン、タイベック（商標）、又はろ過機能を提供する任意の他の種類の材料で作ることができる。あるいは、材料はガンマ線に耐えることができるものであってもよい。例えば、材料は、ガス不透過性であり、強力で耐久性のある無菌バリアをもたらす材料を含みうる。さらに別の構成では、材料はガス及び水蒸気透過性であるが、液体透過性ではない。この構成では、材料は空気及び蒸気を通過させるが、液滴は通過させない。
【００２１】
ラップ２０の材料は、所望のろ過及び使用する滅菌プロセスのタイプに基づいて選択される。例えば、タイベック（商標）とプラスチックの組合せは、溶融するであろうことから、蒸気滅菌プロセスには使用されないであろう。しかしながら、タイベック（商標）とプラスチックの組合せは、エチレンオキシド（ＥｔＯ）滅菌器では使用することができる。蒸気が材料に浸透する必要がある場合には、ろ過材料を使用することができる。幾つかの構成では、滅菌ラップ２０は使い捨て材料であり、他の構成では、滅菌ラップ２０は再利用可能である。さらには、滅菌ラップ２０は、単一種類の材料を含んでもよいし、複数の材料で構成されてもよい。図３に示されるように、一構成では、部分８０はろ過材料で構成され、部分８２は一体的な可撓性カラー８４を形成することができる伸縮性材料で構成される。可撓性カラー８４は、超音波溶接、接着剤、テープ、又は当技術分野で知られている他の製造方法によって部分８０に結合することができる。一構成では、可撓性カラー８４は、滅菌プロセス中に収縮してベース１０の周りにシールを形成する収縮ラップでできている。別の構成では、可撓性カラー８４は、http://www.kraton.com/products/medical/fabrics.phpで入手可能なＫｒａｔｏｎ  ＣｏｒｐｏｒａｔｉｏｎのＫｒａｔｏｎ（商標）などの非ラテックスの伸縮性材料で作られている。
【００２２】
また、ラップ２０は、手術室で通常使用されている保護ドレープとして使用することができる。したがって、ラップ２０は、滅菌される物体を有する手術用ベース１０に適用することができ、部分８２は、ベース１０のシール面６０及び／又は４６にシールされ、ベース１０は滅菌器に入れられて滅菌され、その後手術室に運ばれる。滅菌された物体４４は、ラップがベース１０のシール面６０から垂れ下がることができるような方法でラップ２０を開くことによりアクセスすることができ、その結果、滅菌された物体４４が使用者に提示される。したがって、ラップ２０は、手術室又は他の滅菌環境におけるドレープとして機能する。ドレープは中実であるか、又はセグメントで構成されうる。セグメントは、同じ材料でもよいし、より厚い材料又は透明な部分を含むがこれらに限定されない、さまざまな材料であってもよい。一構成では、部分８０は、使用者が部分８０の選択された領域を開けることができるようにする、開放可能な部分を含む。開放可能な部分は、壊れやすい部分、ミシン目、切断ガイドライン、スコア、エンボス、縫い目、又はそれらの組合せを含みうるが、これらに限定されない。ラップ２０は、さまざまな方法で開くことができるように、さまざまな方法で構成されうることが認識されるべきである；ラップ２０は、とりわけ、折り畳まれたり、丸めて閉じられたり、裂開する又はしわが寄るように設計されたりしうる。あるいは、ラップ２０は、ベース１０から完全に取り除かれてもよい。ラップ２０は、単一のラップ層であっても複数のラップ層であってもよい。さらには、汚染のリスクをさらに低減するために、フィルタシートを含むがこれに限定されない保護ライナーが、巻き付けられた容積内に配置されてもよい。タオルを使用してベース１０を包み、汚染及びラップ２０の引き裂き又は穿孔のリスクを低減することもできる。
【００２３】
図５に示されるように、滅菌ラップ２０は、連続した材料で形成されてもよく、あるいは、図６に示されるように、同じ又は異なる材料のセグメント９０で形成されてもよい。セグメント９０は、テープ、接着剤、シーラントポリマー、「ベルクロ」などを含むがこれらに限定されない少なくとも１つのシーラントでシールされうる。滅菌ラップ２０は、空洞を画成し、それ自体又はベース１０、シート１８２（図１３及び１４に示されるように）、又は部分的に形成されたバッグにシールすることができるバッグ９２を含むが、これらに限定されない、多くの異なる形状及び形態を取りうることが認識されるべきである。バッグ９２は、配備プロセスの間にベース１０のシール面６０上にラップを配置し、配備位置においてベースの第１のシール面に張力を適用するように拡張するための可撓性カラー８４を含みうる。滅菌ラップ２０がベース１０の上から適用されるか、ベース１０の下から適用されるかにかかわらず、ラップ２０は、後述するように、依然としてベース１０にシールされうる。
【００２４】
図１５、図１６、及び図１７に示されるように、バッグ９２は、一構成では、例えば、テーブル４０のペデスタル又は脚部１３２を受け入れるための一又は複数のスロット１０２を含むことができる。一構成では、図１８に示されるように、テーブル４０は、脚部１３２から切り離されてもよく、一又は複数のスロット１０２を有するバッグ９２の口部９４がテーブル４０の下に位置づけられ、バッグの空洞がテーブル４０を封入するようにテーブル４０の上に被せられる。一又は複数のスロット１０２の外周は、シール材料１０６を含むことができ、それにより、一又は複数のスロットの外周とテーブル４０の下側との間にシール界面が形成される。別の構成では、テーブル４０は、該テーブル４０に連結された第１の端部１３６と、脚部又はペデスタルの第２の部分１３０に取り外し可能に連結された第２の端部１３８とを有する、脚部１３２（又はペデスタル）の第１の部分１３４を含みうる。この構成では、バッグ９２の一又は複数のスロット１０２は、脚部１３２の第２の端部１３８を受け入れ、一又は複数のスロット１０２の外周はテーブル４０の下側をシールする。次に、バッグ９２の上部は、折り畳むか、テープで留めるか、又は他の方法でテーブル４０の上にシールを形成するように作ることができる。別の構成では、図１８に示されるように、バッグ９２は、テーブル４０の上に位置づけられ、次いで、バッグの空洞がテーブル４０を封入するようにテーブル４０の上に被せられる。この構成では、バッグ９２の口部９４は、テーブルの脚部又はペデスタルを受け入れるための一又は複数のスロット１０２を有するフラップ９６を含むことができる。フラップ９６は、テーブル４０の脚部を受け入れるために各スロットを開くことができるようにするスリット９８をさらに含むことができる。脚部又はペデスタルの周りのベースをシールする滅菌バッグ９２の他の構成も可能であり、これらの構成は、特許請求される本発明の趣旨及び範囲内に含まれることが意図されていることが認識されるべきである。バッグ９２は、ミシン目、切断ガイドライン、スコア、エンボス、縫い目、又はそれらの組合せを含むがこれらに限定されない、開放可能な部分又は壊れやすい部分をさらに含むことができる。滅菌された物体４４は、ラップ９２がベース４０のシール面１０４、１０６の少なくとも一方から垂れ下がることができるような方法でバッグ９２を開くことによりアクセスすることができ、その結果、滅菌された物体４４が使用者に提示される。したがって、バッグ９２は、手術室又は他の滅菌環境におけるドレープとして機能する。
【００２５】
ベースは、バッグ９２を受け入れるため及びバッグ９２がベース１０にシールされる前にバッグ９２を適所に保持するために、図１８に示されるキャッチ１２６をさらに含みうる。例えば、キャッチ１２６は、ベース１０の境界に沿って位置づけられたフック、肩部、又は棚でありうる。あるいは、キャッチ１２６は、ベース１０又はバッグ９２自体に位置づけられたクランプ、テープ、接着剤、シーラントポリマー、「ベルクロ」などであってもよい。キャッチ１２６は、バッグ９２の動きを制限して、バッグ９２がテーブルの下に移動しすぎたりドレープしすぎたりするのを防ぐ。
【００２６】
滅菌ラップ２０は、滅菌ラップシステム１００の通気領域１１０を画成することができる。通気領域１１０は、滅菌ラップシステム１００の内部容積の内外へのガス、蒸気、及び／又は液体の出入りに利用可能な総面積を指す。「通気領域の容積に対する比」とは、滅菌ラップシステムの内部容積比に対する滅菌ラップシステム１００の総通気領域の比を意味する。この通気領域の容積に対する比は、滅菌剤に曝露される領域を増やし、滅菌された物体に目に見える凝縮物、水分、又は滅菌剤を供給しないために必要とされる乾燥時間を短縮する。
【００２７】
滅菌ラップシステム１００は、ベース１０と滅菌ラップ２０との間にシール界面をさらに含む。ベース１０と滅菌ラップとの間のシール界面は、クランプを含むがこれに限定されない任意のタイプの機械的又は非機械的なシールによって、若しくは、接着剤、シーラントポリマー、又はテープを含むがこれらに限定されない、適用されるシーラントによって形成されうる。別の構成では、図３及び図４に示されるように、クランプ１１２は、滅菌ラップ２０とベース１０のシール面６０との間にシール界面を維持する。クランプ１１２は、細菌及び粒子の侵入に対するバリアを提供するシールを形成するために、チャネル７６によって受け取られる少なくとも１つのセキュリティバンド１０８を備えうる。チャネル７６は、Ｃ字形又はＵ字形の本体部材１１４と、図１０に示されるように、バンド受容ノッチ１２２を画成する、直立部１１６から延びる上部１１８及び底部１２０を有する直立部１１６とを有する、従来のチャネルとすることができる。一構成では、チャネル７６は少なくとも０．２５〜１インチ（約６．３５ｍｍ〜２．５４ｃｍ）の範囲の高さを有するが、他のチャネル寸法も可能である。セキュリティバンド１１２は、チャネル７６内に収まり、ベース１０とラップ２０との間にシール界面をもたらすように寸法決めされる。図示されるセキュリティバンド１１２はベース１０の外周全体を取り囲んでいるが、同一のことを達成するために複数のセキュリティバンド１１２を使用することもできることが認識されるべきである。さらには、ラップ２０とベース１０との間のシール界面を維持する他のタイプのクランプが企図されており、これらの修正が本明細書に含まれることが意図されていることが認識されるべきである。例えば、収縮ラップ又はＫｒａｙｔｏｎ材料を使用して、ラップ２０とベース１０との間のシール界面が維持されるように、ベース１０の周りにクランプを形成することができる。
【００２８】
ラップ２０は、代替的に又は追加的に、ラップ２０とシール面６０との間にシール界面を形成するシール８６を含みうる。シール８６は、バンド、接着剤、シーラントポリマー、テープ、及びシュリンクラップを含むがこれらに限定されない、ラップ２０とベース１０との間にシール界面を提供することができる任意のシールから形成されうる。シュリンクラップは、ベース１０の周りに巻き付けられ、その後、滅菌に必要な高熱の結果として滅菌プロセス中に収縮し、ラップ２０とベース１０との間にシールを形成することができる。あるいは、滅菌前に熱を加えて、シュリンクラップを収縮させてラップ２０をベース１０に固定し、滅菌前にラップ２０とベース１０との間にシールを形成してもよい。
【００２９】
テーブル４０（又はベース１０）は、さまざまな構成を含みうる。例えば、図７に示されるように、テーブル４０は、物体４４を保持するための追加の表面空間を提供するために延長側部１２８を含みうる。テーブル４０は、例えば、折り畳み式（又はフリップアウト）パネル若しくは取り付けパネルを有しうる。別の構成では、テーブル４０は、スライド式パネルを含む。これらの構成が好ましい理由の１つは、所望のベース寸法よりも狭い滅菌器を収容することである。例えば、滅菌器の幅は２４インチ（約６０．９６ｃｍ）でありうるが、ベースの望ましい表面積は３０インチ（約７６．２ｃｍ）以上でありうる。所望の表面積のベースを提供するために、ベースが滅菌器に直接収まることができるようにする一方で、ベースはこのような伸縮可能なパネル又は折り畳み式のパネルを有していてもよい。さらに別の構成では、テーブルは、ともに解除可能に結合された２つのセグメントを含みうる。別の構成は、ベースの上部で支持される２つの取り外し可能なコンパートメントを含む。コンパートメントは、留め具によって解除可能に結合されていてもよい。
【００３０】
図８及び図９に示されるように、テーブル４０は、滅菌ラップ２０を配置してテーブル４０の支持面２を取り囲む容積を画成し、ラップ２０がテーブル４０に含まれる物体４４からの引き裂き又は穿孔を防ぐのに役立つ、追加の支持体１４０をさらに含みうる。テーブル４０が使用されているときに支持体１４０がテーブル４０上の物体４４への使用者のアクセスを妨げないように、支持体１４０は折り畳み可能であってもよい。別の構成では、支持体１４０は取り外し可能である。図８に示されるように、支持体１４０は、ラップ２０の引き裂き又は穿孔を低減するために内側に曲がる端部１９０を含みうる。あるいは、端部１９０は、ラップ２０の引き裂き又は穿孔のリスクを低減するために、キャップをするか、または他の方法で形作ることができる。図９に示されるように、追加の支持体１４０は、支持面４２から延びる側壁１４２と、テーブル４０の支持面４２から離間された上部棚１４４とを含む。上部棚１４４は、滅菌ラップ２０のための支持面を提供することができる。側壁１４２及び上部棚１４４は、開口又は開口部によって通気されて、滅菌プロセス中に蒸気の進入を可能にすることができる。図９に示されるように、側壁１４２は、滅菌サイクル中にオートクレーブからの蒸気などの滅菌剤の通過を可能にする多数の開口部を備えた有窓又は穿孔面１４６を含む。３つの側壁が示されているが、滅菌剤の通過を可能にする孔、スリット、又は開口部の任意の配置を有する１つ、２つ、３つ、又は４つの側壁が可能であり、これらの修正は、特許請求の範囲内に含まれることが意図されていることが、当業者に認識されよう。
【００３１】
図１０〜１３を参照すると、滅菌ラップシステム１００は、滅菌される物体４４のための複数の支持面４２を提供するベース１０と、フレーム１５０とを含みうる。一構成では、ラップ２０は、保護カバーを提供するフレーム１５０を封入する。図１０に示されるように、ベース１０は、支持面４２及びそこから延びる側壁１５６として数のトレイ１５８及び／又は床１５４を含みうる。床１５４は、滅菌器による滅菌を必要とする少なくとも１つの物体４４を支持する。ベース１０は、物体４４及び／又はフレーム１５０を保持する。代替的に又は追加的に、ベース１０は、該ベース１０の特定のセクション上に外科用器具及び／又はトレイを含むがこれらに限定されない物体４４を維持するための仕切り、棚、又はセクション化された部分を含みうる。図１０に示されるように、滅菌ラップシステム１００は、ラックシステム１６０上に配置された複数のトレイ１５８を含みうる。上記のように、ベース１０は、物体４４を適所に解除可能に保持する追加の留め具をさらに含むことができる。ベース１０は、上述のように滅菌プロセス中に形成される凝縮物を排出するためのドレインシステム５０をさらに含みうる。図１１に示される構成では、床１５４は、滅菌剤及び／又は凝縮液をドレインウェル又は開口などの所定の領域に導くように下降する。この構成では、ドレインウェルは、支持面４２の片側に近接して配置される。しかしながら、床１５４は、異なる所定の領域に位置するドレインに向かって傾斜し、下降していてもよい。滅菌剤及び／又は凝縮液をベース１０の支持面４２から排出することを可能にする他の排水システムが可能であり、これらの修正は特許請求の範囲内に含まれることが意図されていることを当業者は認識すべきである。
【００３２】
ベース１０は、ラップ２０がそれをシールするためのシール面６０をさらに含む。一構成では、シール面６０は、外側側壁１５６の外周に沿って配置される。別の構成では、シール面６０は側壁１５６の上端である。さらに別の構成では、シール面６０は床１５４の外面（支持面４２の反対側）に配置されている。シール面６０は、後述するように、シール面６０を少なくとも部分的に取り囲むチャネル７６を含みうる。さらには、２つ以上のシール界面を生成する、複数のシール面６０を使用することもできる。
【００３３】
図１１及び１２を参照すると、滅菌ラップシステム１００は、トレイ１５８に動作可能に接続されたフレーム１５０を含みうる。フレーム１５０は、図１１に示されるように、ベース１０と一体化されていても、分離可能であってもよい。フレーム１５０は、前部及び後部１７２、１７４、上部１７６及び側部１７８を形成する複数のストラット又はバテン１７０を含む。各部分１７２、１７４、１７６、１７８は、開口部又は孔などを有するスクリーン又はパネルなどの有窓又は有孔表面を含むように構成されうる、中空の中央部を画成する。あるいは、中空の中央部は、滅菌剤の通過を可能にするのに適しているが、滅菌中に破れたり裂けたりしないほど十分に弾力性のあるフィルタを含みうる。フィルタは、あらゆるタイプの多孔質紙、セルロース系材料、又はポリプロピレンなどの高分子物質で作ることができる。フレーム１５０及びフィルタは、ベース１０にシールされてもよく、したがって、滅菌フィルタシステムを提供する。フレーム１５０上に滅菌ラップ２０を設けることにより、滅菌プロセス中及び滅菌プロセス後の第２の保護バリアが提供される。あるいは、フレーム１５０はフィルタを含まず、フレーム１５０は、図１２に示されるようにラップ２０に囲まれている。一構成では、ラップ２０は、シール８６を介してベースにシールされる。シールは、代替的に又は追加的に、クランプ１１２をラップ２０の外側に、チャネル７６内のベース１０の周りに適用することにより形成されてもよい。
【００３４】
滅菌ラップシステム１００によって画成される容積内に通気孔を含むことにより、通気領域の容積に対する比をもたらすことが認識されるべきである。滅菌ラップシステム１００の例示的な実施形態は、１つ以上の通気孔を含むことができる。通気領域の容積に対する高い比は、滅菌サイクル後に必要な乾燥時間に影響を与え、滅菌剤に曝露されやすい表面積を増加させる。
【００３５】
図１３に示されるように、滅菌ラップ２０は、空洞を画成するバッグ９２を含むがこれに限定されない、多くの異なる形状及び形態をとることができる。滅菌ラップ２０は、それ自体又はベース１０にシールされてもよい。バッグ９２は、配備プロセス中にベース１０のシール面６０上にラップ２０を配置し、配備位置でベース１０のシール面６０に張力を適用するように拡張するための可撓性カラー８４を含みうる。可撓性カラー８４は、材料をベース１０に締め付けるための弾性バンドを含みうる。代替的な構成では、ラップ２０は可撓性カラーを含まない。
【００３６】
ベース１０の滅菌ラップ２０とシール面６０との間にシール界面を維持するため、クランプ１１２をラップ２０上に配置することができる。例えば、上述のように、セキュリティバンドがベース１０上のチャネル７６によって受け入れられて、細菌及び粒子の侵入に対するバリアを提供するシールを形成することができる。代替的に又は追加的に、収縮ラップ又はＫｒａｙｔｏｎ材料を使用して、ラップ２０とベース１０との間にシール界面が維持されるように、ベース１０の周りにクランプを形成することができる。
【００３７】
さらには、ラップ２０は、代替的に又は追加的に、ラップ２０とシール面６０との間にシール界面を形成するためのシール８６を含みうる。シール８６は、バンド、接着剤、シーラントポリマー、及びテープを含むがこれらに限定されない、ラップ２０とベース１０との間にシール界面を提供することができる任意のシールで形成されうる。別の構成では、シュリンクラップは、ベース１０の周りに巻き付けられ、その後、滅菌サイクル中に生成される高熱の結果として、滅菌プロセス中に収縮する。こうして、ラップ２０とベース１０との間にシールが形成される。あるいは、滅菌前に熱を加えて、シュリンクラップを収縮させてラップ２０をベース１０に固定し、滅菌前にラップ２０とベース１０との間にシールを形成してもよい。
【００３８】
図１４に示されるように、ベース１０は、シート１８２として構成されたラップ２０を有する単一の表面４２又はテーブル４０を備え、支持面４２の周縁部に沿って、又はシール面６０に沿ってシールを形成することができる。セキュリティバンドなどのクランプ１１２を含めることにより、追加のシールを維持することができる。一構成では、ベース１０は部分的に覆われており、ベースの一部は覆われていないままであり、ベース１０の一部はベース１０のシール面６０にシールされたラップ２０を有する。
【００３９】
代替的な構成では、図１９〜２１に示されるように、ラップシステム２００は、ラップ２０と、分解することなく滅菌剤への曝露に耐えるように適合された材料で形成された剛性ベース１０とを有する使い捨てラップシステムでありうる。ベース１０は、物体４４を保持するための平坦な支持面４２と周縁部２１０とを有するテーブル４０でありうる。この構成では、ベース１０の支持面４２及び周縁部２１０は同一平面内にあり、周縁部２１０はシール界面を提供する。一構成では、シール界面は、支持面４２の外周全体にわたって連続している。別の構成では、支持面４２の外周は、シールされていない表面とシール界面の空間を含む。別の構成では、支持面４２は２つ以上のラップ２０を含み、各ラップ２０は支持面４２上の特定の領域にシールされる。支持面４２に少なくとも部分的に重なるように寸法決めされたラップ２０は、ベース１０の支持面４２の周縁部２１０に対応する周縁部２１２を含む。ラップ２０は、該ラップ２０の外周２１２の端部をベース１０の周縁部２１０にシールするためのシーラント２１４を含む。シーラント２１４は、テープ、接着剤、又はシーラントポリマーを含みうるが、これらに限定されない。図２２に示されるように、ラップシステム２２０は、物体４４を保持するための取り外し可能な平坦な支持面４２を有するベース１０を含みうる。この構成では、支持面４２は、下部ユニット２１８に連結された取り外し可能なホルダ又はプレートでありうる。支持面４２は、蒸気が入って放出されることを可能にするために開窓又は穿孔されていてもよい。支持面４２は、下部ユニット１０をさらにロック、締結、入れ子、又は他の方法で係合することができる。下部ユニット１０は、上述のようなドレインシステム５０をさらに含みうる。
【００４０】
ある構成では、ベース１０は、該ベースをベースペデスタル、脚部、又は移送カート１９２に解除可能にロックするロック機構を含む。移送カート１９２は、フレーム２５２、プッシュハンドル２５４、及び車輪２５６を備えることができる。移送カート１９２が手術室バックテーブルとして機能する場合、移送カート１９２は、任意選択的に、プッシュハンドル２５４又はロック機構を含まなくてもよい。移送カート１９２は、かなりの重量の下でその形状及び形態を維持するのに十分な強さであり、かつ滅菌可能な耐久性のある材料から構築することができる。理想的には、移送カート１９２は、鋼又はアルミニウム合金若しくはそれらの組合せから構築される。移送カート１９２は、該移送カート１９２の単なる例示的な実施形態に過ぎないことを理解されたい。
【００４１】
移送カート１９２は、スレッド及びベース１０が滅菌器に載荷されるときに移送カート１９２のガイドレールに沿ってスライドするための車輪２６０を有するスレッド（図示せず）をさらに含みうる。移送カート１９２は、ベース１０及びスレッド又は他の同様の滅菌デバイス又は装置の重量を維持するのに十分に剛性である。一構成では、ベース１０は、ロック機構２６２を介してスレッドに解除可能にロックする。ロック機構２６２は、ベース１０を移送カート１９２に取り外し可能に固定する手段を提供する。ロック機構２６２の例示的な実施形態は、移送カート１９２が移動するときにのみベース１０が移動するように、例えば移送カート１９２のスレッドなど、移送カート１９２にベースをしっかりと固定することを可能にする任意の手段を含む。さらに、スレッドは、該スレッドを移送カート１９２に取り外し可能に固定する手段を提供するロック機構２６２を介して移送カート１９２に解除可能にロックすることができる。ロック機構２６２の例示的な実施形態は、移送カート１９２が移動するときにのみベース１０が移動するように、スレッドが移送カート１９２にしっかりと固定されることを可能にする任意の手段を含む。移送カート１９２はさらに、移送カート１９２を滅菌器に解除可能にロックするロック機構を含みうる。したがって、移送カート１９２から滅菌器への載荷物の重量移動中の移送カート１９２の望ましくない動きを防ぐために、スレッド及び／又はベース１０が滅菌器に載荷されるときに、移送カート１９２を滅菌器に対してロックすることができる。ロック機構の例示的な実施形態には、クランプ、ラッチ、スロット、ボルト、ネジなどが含まれる。
【００４２】
移送カート１９２のプッシュハンドル２５４は、使用者が移送カート１９２をより簡単に押したり引いたりする手段を提供する。プッシュハンドル２５４は、移送カート１９２の両側に提供されうる。プッシュハンドル２５４の各々は、移送カート１９２の幅に及ぶ。プッシュハンドル２５４の実施形態は、異なる構成とともに移送カート１９２のすべての側又は片側のみに配置されるプッシュハンドル２５４を含むことが認識されるべきである。
【００４３】
手術室のバックテーブルなどのベース１０を移送カート１９２に直接載荷してから滅菌器に載荷する利点の１つは、滅菌サイクルが完了すると、ベース１０（テーブル）を移送カート１９２に戻し、再び使用するために手術室に直接移送することができることである。滅菌前にトレイ上にすでに整理されている器具又は他の物体は、さらに処理又は整理することなく使用する準備ができている。代替的な構成では、ベース１０及び移送カート１９２は、ともに地上載荷式（ground-loading）の滅菌器に載荷される。この構成では、移送カート１９２、ベース１０、及びその上に含まれる器具は、地上載荷式の滅菌器で滅菌される。したがって、ベース１０は、滅菌中又は輸送中に移送カート１９２から分離されない。
【００４４】
図２２に示されるように、滅菌用の物体を包装する場合、次のステップに従うことができる。最初に、ステップ３００に従い、滅菌される少なくとも１つの物体が、少なくとも１つのシール面６０、７０を有するベース１０の支持面上に配置される。ラップ２０は、ステップ３０２に従ってベース１０の支持面を少なくとも部分的に取り囲むように配備される。ラップ２０は、一構成では、ベース１０の支持面を取り囲む第１の部分８０と、ベース１０のシール面７０に面する第２の部分８２とを含む。ステップ３０４によれば、ラップ２０は、ベース１０の一部にシールされる。一構成では、ラップ２０の第２の部分８２は、ベース１０のシール面にクランプされて、配備位置でラップ２０とシール面７０との間にシール界面を形成する。本方法は、ステップ３０６に従い、ラップ２０が配備されたベース１０を滅菌器２５８に輸送するステップをさらに含みうる。一構成では、ベースはルートＡに従って輸送され、ここで、ベース１０は、手で運ばれるか、又は別のデバイスに移される。別の構成では、ベース１０は、ルートＢに従って輸送され、ここで、ベース１０は、該ベースを移送カートにロックするための解除可能なロックを有する移送カートに移される。ステップ３０８に従い、ラップ２０が配備されたベース１０は滅菌器２５８に移され、ステップ３１０に従う滅菌サイクルで滅菌サイクルが行われる。本方法は、ステップ３１２に従い、ラップ２０が配備されたベース１０を滅菌器２５８から取り出すステップ、ステップ３１４に従い、ラップ２０が配備されたベース１０を使用エリアに輸送するステップ、及び、ステップ３１６に従い、配備されたラップ２０を開き、滅菌器２５８で滅菌された少なくとも１つの物体を露出するステップをさらに含む。一構成では、ラップ２０は、所定のガイドラインのセットに沿って、配備されたラップ２０の第１の部分を開き、外面と滅菌された内面とを有するラップセグメントを形成し、滅菌された内面を露出する第１のシール面上にラップセグメントを折り曲げることによって、開くことができる。ラップ２０が配備されたベース１０を滅菌器２５８に輸送するステップは、ある特定の構成では、ステップ３１８に従い、ラップ２０が配備されたベース１０を、ロック機構を含む第１の端部と第２の端部とを有する移送カート上に載荷するステップ；ステップ３２０に従い、ラップが配備されたベースを移送カートに解除可能にロックするステップ；ステップ３２２に従い、移送カートの第１の端部を滅菌器２５８に隣接して位置づけるステップ；及び、ステップ３２４に従い、ロック機構によって移送カートの第１の端部を滅菌器２５８にロックするステップ；及び、ステップ３２６に従い、ラップ２０が配備されたベース１０と移送カートとの間のロックを解除して、ラップが配備されたベース１０が滅菌器２５８内に移送可能にするステップをさらに含みうる。ステップ３１０に従って行われる滅菌サイクルが完了すると、ベースを、ステップ３１２に従って滅菌器２５８から取り出し、ステップ３２８に従って移送カートに載荷して戻すことができる。次いで、ベースは、ステップ３３０に従って移送カートに解除可能にロックされ、ステップ３１４に従って使用エリアに輸送することができる。
【００４５】
本発明は、多くの変更及び修正を行うことができることが企図されている。したがって、現在の好ましい形態の装置及び方法を示して説明し、幾つかの修正及び代替案について説明したが、当業者は、添付の特許請求の範囲によって定義及び差別化される本発明の範囲から逸脱することなく、さまざまな追加の変更及び修正がなされうることを容易に理解するであろう。
【符号の説明】
【００４６】
１０  ベース
２０  ラップ
４０  手術室バックテーブル
４２  支持面
４４  物体
４６  従属スカート
４８  脚部
５０  ドレインシステム
５２  傾斜面
５４  ドレイン開口
６０  シール面
７０  シール面
７６  チャネル
８４  可撓性カラー
８６  シール
９０  セグメント
９２  バッグ
９４  口部
９６  フラップ
９８  スリット
１００  滅菌ラップシステム
１０２  スロット
１０６  シール材料
１１０  通気領域
１１２  クランプ／セキュリティバンド
１２６  キャッチ
１３０  第２の部分
１３２  ペデスタル／脚部
１３４  第１の部分
１３６  第１の端部
１３８  第２の端部
１４０  支持体
１４２，１５６  側壁
１４４  上部棚
１４６  有窓又は穿孔面
１５０，２５２  フレーム
１５４  床
１５８  トレイ
１８２  シート
１９０  端部
１９２  移送カート
２１４  シーラント
２１８  下部ユニット
２２０  ラップシステム
２５４  プッシュハンドル
２５６  車輪
２６２  ロック機構
【図１】
2020528309.tif 000003
【図２】
2020528309.tif 000004
【図３】
2020528309.tif 000005
【図４】
2020528309.tif 000006
【図５】
2020528309.tif 000007
【図６】
2020528309.tif 000008
【図７】
2020528309.tif 000009
【図８】
2020528309.tif 000010
【図９】
2020528309.tif 000011
【図１０】
2020528309.tif 000012
【図１１】
2020528309.tif 000013
【図１２】
2020528309.tif 000014
【図１３】
2020528309.tif 000015
【図１４】
2020528309.tif 000016
【図１５】
2020528309.tif 000017
【図１６】
2020528309.tif 000018
【図１７】
2020528309.tif 000019
【図１８】
2020528309.tif 000020
【図１９】
2020528309.tif 000021
【図２０】
2020528309.tif 000022
【図２１】
2020528309.tif 000023
【図２２】
2020528309.tif 000024
【国際調査報告】
2020528309.tif 000025
2020528309.tif 000026
2020528309.tif 000027